(57)【特許請求の範囲】
【請求項１】
ネットワーク性能の向上方法であって、
ユーザ装置（ＵＥ）は、測定された２つ以上のキャリアでの高速物理ダウンリンク共用チャネル（ＨＳ−ＰＤＳＣＨ）の信号対干渉比（ＳＩＮＲ）に応じて、各キャリアでのＨＳ−ＰＤＳＣＨのチャネル品質指標（ＣＱＩ）をそれぞれ取得することと、
すべてのキャリアのうちの１つ以上のキャリアでのＨＳ−ＰＤＳＣＨのＳＩＮＲとすべてのキャリアでのＨＳ−ＰＤＳＣＨの最大ＳＩＮＲとの差が第１の閾値より大きいことが確定される場合、前記１つ以上のキャリアでのＨＳ−ＰＤＳＣＨのＣＱＩを更新して、更新されたキャリアでのＨＳ−ＰＤＳＣＨのＣＱＩは、元キャリアでのＨＳＰＤＳＣＨのＣＱＩとすべてのキャリアでのＨＳ−ＰＤＳＣＨの最大ＣＱＩとの差の半分に元キャリアでのＨＳ−ＰＤＳＣＨのＣＱＩを加算したものであり、すべてのキャリアでのＨＳ−ＰＤＳＣＨのＣＱＩをネットワーク側に報告することとを含み、
前記ＣＱＩは、ネットワーク側がＵＥをスケジューリングすることに用いられる、前記方法。
【請求項２】
前記ＵＥが各キャリアでのＨＳ−ＰＤＳＣＨのＣＱＩを取得する前、前記方法は、さらに、
ＵＥは２つ以上のキャリアの受信信号強度インジケータ（ＲＳＳＩ）を測定することと、
すべてのキャリアのうちの１つ以上のキャリアのＲＳＳＩとすべてのキャリアのうちの最大ＲＳＳＩとの差が第２の閾値より大きいことが確定される場合、位置決めウィンドウを左に１ビットを移動させるように更新することとを含み、
前記位置決めウィンドウは、ＵＥが受信されたキャリア信号をフィルタリングすることに用いられる
請求項１に記載の方法。
【請求項３】
前記ＵＥが測定された２つ以上のキャリアでのＨＳ−ＰＤＳＣＨのＳＩＮＲに応じて各キャリアでのＨＳ−ＰＤＳＣＨのＣＱＩをそれぞれ取得することは、
前記ＵＥは、自身に予め記憶されたＳＩＮＲ-ＣＱＩマッピングテーブルから各ＳＩＮＲに対応するＣＱＩを検索し、各キャリアでのＨＳ−ＰＤＳＣＨのＣＱＩを取得することを含む
請求項１又は２に記載の方法。
【請求項４】
更新されたキャリアでのＨＳ−ＰＤＳＣＨのＣＱＩは、元キャリアでのＨＳ−ＰＤＳＣＨのＣＱＩとすべてのキャリアでのＨＳ−ＰＤＳＣＨの最大ＣＱＩとの差の半分に元キャリアでのＨＳ−ＰＤＳＣＨのＣＱＩを加算したものである
請求項１又は２に記載の方法。
【請求項５】
前記位置決めウィンドウを更新することは、
前記位置決めウィンドウを左に１ビットを移動することを含む
請求項２に記載の方法。
【請求項６】
ユーザ装置（ＵＥ）であって、
測定モジュールにより測定された２つ以上のキャリアでのＨＳ−ＰＤＳＣＨのＳＩＮＲに応じて、各キャリアのＣＱＩをそれぞれ取得するように構成される取得モジュールと、
各キャリアでのＨＳ−ＰＤＳＣＨのＳＩＮＲとすべてのキャリアでのＨＳ−ＰＤＳＣＨの最大ＳＩＮＲとの差を第１の閾値と比較するように構成される第１の比較モジュールと、
前記第１の比較モジュールですべてのキャリアのうちの１つ以上のキャリアでのＨＳ−ＰＤＳＣＨのＳＩＮＲとすべてのキャリアでのＨＳ−ＰＤＳＣＨの最大ＳＩＮＲとの差が第１の閾値より大きいことが確定される場合、前記１つ以上のキャリアでのＨＳ−ＰＤＳＣＨのＣＱＩを更新して、更新されたキャリアでのＨＳ−ＰＤＳＣＨのＣＱＩは、元キャリアでのＨＳＰＤＳＣＨのＣＱＩとすべてのキャリアでのＨＳ−ＰＤＳＣＨの最大ＣＱＩとの差の半分に元キャリアでのＨＳ−ＰＤＳＣＨのＣＱＩを加算したものであるように構成される第１の更新モジュールと、
すべてのキャリアでのＨＳ−ＰＤＳＣＨのＣＱＩをネットワーク側に報告するように構
成される報告モジュールとを含み、前記ＣＱＩは、ネットワーク側がＵＥをスケジューリングすることに用いられる、前記ＵＥ。
【請求項７】
前記ＵＥは、第２の比較モジュール、第２の更新モジュールをさらに含み、
前記測定モジュールは、さらに、２つ以上のキャリアのＲＳＳＩを測定するように構成され、
前記第２の比較モジュールは、各キャリアのＲＳＳＩとすべてのキャリアのうちの最大ＲＳＳＩとの差を第２の閾値と比較するように構成され、
前記第２の更新モジュールは、前記第２の比較モジュールですべてのキャリアのうちの１つ以上のキャリアのＲＳＳＩとすべてのキャリアのうちの最大ＲＳＳＩとの差が第２の閾値より大きいことが確定される場合、位置決めウィンドウを左に１ビットを移動させるように更新するように構成され、前記位置決めウィンドウは、ＵＥが受信されたキャリア信号をフィルタリングすることに用いられる
請求項６に記載のＵＥ。
【請求項８】
前記ＵＥは、ＳＩＮＲ-ＣＱＩマッピングテーブルを記憶するように構成される記憶モ
ジュールさらに含み、
前記取得モジュールは、記憶モジュール内に予め記憶されたＳＩＮＲ-ＣＱＩマッピン
グテーブルから各ＳＩＮＲに対応するＣＱＩを検索し、各キャリアでのＨＳ−ＰＤＳＣＨのＣＱＩを取得するように構成される
請求項６または７に記載のＵＥ。
【請求項９】
更新されたキャリアでのＨＳ−ＰＤＳＣＨのＣＱＩは、元キャリアでのＨＳ−ＰＤＳＣＨのＣＱＩとすべてのキャリアでのＨＳ−ＰＤＳＣＨの最大ＣＱＩとの差の半分に元キャリアでのＨＳ−ＰＤＳＣＨのＣＱＩを加算したものである
請求項６または７に記載のＵＥ。
【請求項１０】
前記第２の更新モジュールは、前記位置決めウィンドウを左に１ビットを移動するように構成される
請求項７に記載のＵＥ。
【請求項１１】
コンピュータ記憶媒体であって、
請求項１〜５のいずれか１項に記載のネットワーク性能の向上方法を実行するためのコンピュータ実行可能な命令が記憶されている、前記コンピュータ記憶媒体。
【発明の詳細な説明】
【技術分野】
【０００１】
本発明は通信におけるデータ処理技術に関し、特にネットワーク性能の向上方法、ユーザー装置（ＵＥ：Ｕｓｅｒ  Ｅｑｕｉｐｍｅｎｔ）及び記憶媒体に関する。
【背景技術】
【０００２】
広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）ネットワークと時分割同期符号分割多元接続（ＴＤ−ＳＣＤＭＡ：Ｔｉｍｅ−Ｄｉｖｉｓｉｏｎ−Ｓｙｎｃｈｒｏｎｏｕｓ  Ｃｏｄｅ  Ｄｉｖｉｓｉｏｎ  ＭｕｌｔｉｐｌｅＡｃｃｅｓｓ）ネットワークにおいて、ＵＥが接続状態でマルチキャリアの高速ダウンリンクパケットアクセス（ＨＳＤＰＡ：Ｈｉｇｈ  Ｓｐｅｅｄ  Ｄｏｗｎｌｉｎｋ  Ｐａｃｋｅｔ  Ａｃｃｅｓｓ）サービスを行う場合、ネットワーク側は、再構成メッセージによってＵＥにマルチキャリア上でＨＳＤＰＡの下りデータサービスを行う可能であることを通知する。ＵＥは、複数のキャリアで受信された高速物理ダウンリンク共用チャネル（ＨＳ−ＰＤＳＣＨ：Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）のチャネル品質に応じて、各キャリアでのチャネル品質指標（ＣＱＩ：Ｃｈａｎｎｅｌ  Ｑｕａｌｉｔｙ  Ｉｎｄｉｃａｔｏｒ）を算出し、ネットワーク側に報告する。ネットワーク側は、まず、ＵＥにより報告されたＣＱＩに応じて、各キャリアでトランスポートブロックのサイズ（ＴＢ  ＳＩＺＥ：Ｔｒａｎｓｍｉｓｓｉｏｎ  Ｂｌｏｃｋ  ＳＩＺＥ）、ＨＳ−ＰＤＳＣＨコードチャネル数、変調方式及び電力などを含むＨＳＤＰＡパラメータの選択を行い、次に、選択されたＨＳＤＰＡパラメータに基づいて、ＵＥの各キャリアでの優先度に従って、ＵＥをスケジューリングする。
【０００３】
ＵＥは各キャリアに対するＣＱＩを別に算出するため、ネットワーク側は各キャリアでＴＢ  ＳＩＺＥ、ＨＳ−ＰＤＳＣＨコードチャネル数、変調方式及び電力を別に選択する。マルチキャリアの無線転送チャネルの減衰が相対的に独立し且つＵＥの複数のキャリアでの相対的優先度が異なるため、異なるキャリアによって割り当てられたＨＳ−ＰＤＳＣＨデータ電力の差が大きい。端的に言えば、あるサブフレームにおいて、１つのキャリアでの１５つのコードチャネルのすべてのＨＳ−ＰＤＳＣＨデータをＵＥにスケジューリングするが、他キャリアでのＨＳ−ＰＤＳＣＨデータをＵＥにスケジューリングしないことがある。
【０００４】
ＵＥが接続状態でマルチキャリアの高速ダウンリンクパケットアクセスサービスを行う場合、異なるキャリアによって割り当てられたＨＳ−ＰＤＳＣＨの電力差異が大きい時、以下の悪い影響を与える。第１の影響として、異なるキャリアによって割り当てられたＨＳ−ＰＤＳＣＨの電力差異が大きい場合、動作しているマルチキャリア間の隣接チャネル選択性（ＡＣＳ：Ａｄｊａｃｅｎｔ  Ｃｈａｎｎｅｌ  Ｓｅｌｅｃｔｉｖｉｔｙ）の能力が低くなり、低電力のキャリア信号が干渉され、チャネル品質を低減させる。第２の影響として、端末がキャリアデジタル信号を分離する場合、自動利得制御（ＡＧＣ：Ａｕｔｏｍａｔｉｃ  Ｇａｉｎ  Ｃｏｎｔｒｏｌ）ループアルゴリズムの性能に影響を与え、アナログデジタル変換器に進入する直前のベースバンド信号が適当な範囲に安定されなく、高電力キャリアでの信号飽和及び低電力キャリアでの信号解像度不足が起こる。第３の影響として、第１の影響と第２の影響により、低電力キャリア信号のチャネル品質がますます悪くなる可能性があり、ひいては、複数のハイブリッド自動再送要求（ＨＡＲＱ：Ｈｙｂｒｉｄ  Ａｕｔｏｍａｔｉｃ  ＲｅｐｅａｔＲｅｑｕｅｓｔ）で再送しても不正が発生することがあり、媒体アクセス制御（ＭＡＣ：Ｍｅｄｉｕｍ  Ａｃｃｅｓｓ  Ｃｏｎｔｒｏｌ）レイヤーと無線リンク制御（ＲＬＣ：Ｒａｄｉｏ  Ｌｉｎｋ  Ｃｏｎｔｒｏｌ）レイヤーのパケットのスライディングウィンドウ処理に影響を与え、下りＨＳＤＰＡリンクデータの累積を引き起こし、下りＨＳＤＰＡレートを下げ、ＨＳＤＰＡネットワークのダウンリンク受信性能を低下させる。
【０００５】
２つのキャリアでの同一ＵＥのＨＳ−ＰＤＳＣＨデータの電力差を低減するために、低電力キャリアでのＵＥ優先度を向上する必要がある。ＨＳＤＰＡスケジューリングアルゴリズムにおいて、相対的優先度の計算式は以下の通りである。
【０００６】
ＲｅｌａｔｉｖｅＰｒｉｏｔｉｔｙ＝ＷｅｉｇｈｔｏｆＳＰＩ＊Ｒａｔｅ＊ＷｅｉｇｈｔｏｆＤｅｌａｙ／（１＋ＨｉｓｔｏｒｙＦｌｕｘ）…（１）
ここで、ＷｅｉｇｈｔｏｆＳＰＩは、基地局アプリケーション部分（ＮＢＡＰ：ＮｏｄｅＢ  Ａｐｐｌｉｃａｔｉｏｎ  Ｐａｒｔ）のプロトコルシグナリングにより設定された端末のスケジューリング優先度を示し、それが固定値である。ＷｅｉｇｈｔｏｆＤｅｌａｙは、ネットワークプロトコルに載せる音声サービス（ＶｏＩＰ：Ｖｏｉｃｅ  ｏｖｅｒ  Ｉｎｔｅｒｎｅｔ  ｐｒｏｔｏｃｏｌ）と高速パケットアクセスに乗せる回線交換音声サービス（ＣＳ  Ｖｏｉｃｅ  Ｓｅｒｖｉｃｅ  ｏｖｅｒ  ＨＳＰＡ）の時間遅延の重み因子を示し、ここでは考えない。
【０００７】
Ｒａｔｅ＝ｗ１(ＣＱＩ＿ｎ)＊ＴＢＳＩＺＥ(ＣＱＩ＿ｎ)…（２）
ＨｉｓｔｏｒｙＦｌｕｘ（ｎ）＝ＨｉｓｔｏｒｙＦｌｕｘ（ｎ−１）＊０．９６＋ＴＢＳＩＺＥ１＋ＴＢＳＩＺＥ２…（３）
ここで、ＴＢＳＩＺＥ１、ＴＢＳＩＺＥ２は、二重接続状態のＨＳＤＰＡユーザーのメインキャリア、補助キャリアのスケジューリングのトランスポートブロックの大きさである。上記からわかるように、キャリアでのＵＥ優先度を向上するために、ＵＥにより報告されたＣＱＩを向上する必要がある。
【発明の概要】
【０００８】
これを鑑みて、本発明の実施例は、マルチキャリアＨＳＤＰＡネットワークのダウンリンク受信性能を向上させることができるネットワーク性能の向上方法、ＵＥ及び記憶媒体を提供することを目的とする。
【０００９】
本発明の実施例に係る技術案は以下のように実現される。
【００１０】
本発明の実施例はネットワーク性能の向上方法を提供し、前記方法は、ＵＥは測定された２つ以上のキャリアでのＨＳ−ＰＤＳＣＨのＳＩＮＲに応じて、各キャリアでのＨＳ−ＰＤＳＣＨのＣＱＩをそれぞれ取得することと、すべてのキャリアのうちの１つ以上のキャリアでのＨＳ−ＰＤＳＣＨのＳＩＮＲとすべてのキャリアでのＨＳ−ＰＤＳＣＨの最大ＳＩＮＲとの差が第１の閾値より大きいことが確定される場合、前記１つ以上のキャリアでのＨＳ−ＰＤＳＣＨのＣＱＩを更新し、すべてのキャリアでのＨＳ−ＰＤＳＣＨのＣＱＩをネットワーク側に報告することとを含み、前記ＣＱＩは、ネットワーク側がＵＥをスケジューリングすることに用いられる。
【００１１】
１つの実施例において、前記方法は、ＵＥは２つ以上のキャリアの受信信号強度インジケータ（ＲＳＳＩ）を測定することと、すべてのキャリアのうちの１つ以上のキャリアのＲＳＳＩとすべてのキャリアのうちの最大ＲＳＳＩとの差が第２の閾値より大きいことが確定される場合、位置決めウィンドウを更新することとを含み、前記位置決めウィンドウは、ＵＥが受信されたキャリア信号をフィルタリングすることに用いられる。
【００１２】
１つの実施例において、前記ＵＥが測定された２つ以上のキャリアでのＨＳ−ＰＤＳＣＨのＳＩＮＲに応じて各キャリアでのＨＳ−ＰＤＳＣＨのＣＱＩをそれぞれ取得することは、前記ＵＥは、自身に予め記憶されたＳＩＮＲ-ＣＱＩマッピングテーブルから各ＳＩＮＲに対応するＣＱＩを検索し、各キャリアでのＨＳ−ＰＤＳＣＨのＣＱＩをそれぞれ取得することを含む。
【００１３】
１つの実施例において、更新されたキャリアでのＨＳ−ＰＤＳＣＨのＣＱＩは、元キャリアでのＨＳ−ＰＤＳＣＨのＣＱＩとすべてのキャリアでのＨＳ−ＰＤＳＣＨの最大ＣＱＩとの差の半分に元キャリアでのＨＳ−ＰＤＳＣＨのＣＱＩを加算したものである。
【００１４】
１つの実施例において、前記位置決めウィンドウを更新することは、前記位置決めウィンドウを左に１ビットを移動することを含む。
【００１５】
本発明の実施例はまたＵＥを提供し、前記ＵＥは、測定モジュール、取得モジュール、第１の比較モジュール、第１の更新モジュール及び報告モジュールを含み、
前記取得モジュールは、測定モジュールにより測定された２つ以上のキャリアでのＨＳ−ＰＤＳＣＨのＳＩＮＲに応じて、各キャリアのＣＱＩをそれぞれ取得するように構成され、
前記第１の比較モジュールは、各キャリアでのＨＳ−ＰＤＳＣＨのＳＩＮＲとすべてのキャリアでのＨＳ−ＰＤＳＣＨの最大ＳＩＮＲとの差を第１の閾値と比較するように構成され、
前記第１の更新モジュールは、前記第１の比較モジュールですべてのキャリアのうちの１つ以上のキャリアでのＨＳ−ＰＤＳＣＨのＳＩＮＲとすべてのキャリアでのＨＳ−ＰＤＳＣＨの最大ＳＩＮＲとの差が第１の閾値より大きいことが確定される場合、前記１つ以上のキャリアでのＨＳ−ＰＤＳＣＨのＣＱＩを更新するように構成され、
前記報告モジュールは、すべてのキャリアでのＨＳ−ＰＤＳＣＨのＣＱＩをネットワーク側に報告するように構成され、前記ＣＱＩは、ネットワーク側がＵＥをスケジューリングすることに用いられる。
【００１６】
１つの実施例において、前記ＵＥは、第２の比較モジュール、第２の更新モジュールをさらに含み、
前記測定モジュールは、さらに、２つ以上のキャリアのＲＳＳＩを測定するように構成され、
前記第２の比較モジュールは、さらに、各キャリアのＲＳＳＩとすべてのキャリアのうちの最大ＲＳＳＩとの差を第２の閾値と比較するように構成され、
前記第２の更新モジュールは、前記第２の比較モジュールですべてのキャリアのうちの１つ以上のキャリアのＲＳＳＩとすべてのキャリアのうちの最大ＲＳＳＩとの差が第２の閾値より大きいことが確定される場合、位置決めウィンドウを更新し、前記位置決めウィンドウは、ＵＥが受信されたキャリア信号をフィルタリングすることに用いられるように構成される。
【００１７】
１つの実施例において、前記ＵＥは、さらに、記憶モジュールを含み、記憶モジュールは、ＳＩＮＲ-ＣＱＩマッピングテーブルを記憶するように構成され、
前記取得モジュールは、記憶モジュール内に予め記憶されたＳＩＮＲ-ＣＱＩマッピングテーブルから各ＳＩＮＲに対応するＣＱＩを検索し、各キャリアでのＨＳ−ＰＤＳＣＨのＣＱＩを取得するように構成される。
【００１８】
１つの実施例において、更新されたキャリアでのＨＳ−ＰＤＳＣＨのＣＱＩは、元キャリアでのＨＳ−ＰＤＳＣＨのＣＱＩとすべてのキャリアでのＨＳ−ＰＤＳＣＨの最大ＣＱＩとの差の半分に元キャリアでのＨＳ−ＰＤＳＣＨのＣＱＩを加算したものである。
【００１９】
１つの実施例において、前記第２の更新モジュールは、前記位置決めウィンドウを左に１ビットを移動するように構成される。
【００２０】
本発明の実施例はまた、コンピュータ記憶媒体を提供し、前記コンピュータ記憶媒体にはコンピュータプログラムが記憶され、当該コンピュータプログラムは、本発明の実施例の上記ネットワーク性能の向上方法を実行するためのものである。
【００２１】
本発明の実施例により提供されたネットワーク性能の向上方法、ＵＥ及び記憶媒体によれば、ＵＥは、２つ以上のキャリアの受信信号強度インジケータ（ＲＳＳＩ）を測定し、すべてのキャリアのうちの１つ以上のキャリアのＲＳＳＩとすべてのキャリアのうちの最大ＲＳＳＩとの差が第２の閾値より大きいことが確定される場合、位置決めウィンドウを更新し、前記位置決めウィンドウに応じてキャリアをフィルタリングし、フィルタリングされた各キャリアでのＨＳ−ＰＤＳＣＨのＳＩＮＲを測定し、測定された各キャリアでのＨＳ−ＰＤＳＣＨのＳＩＮＲに応じて、各キャリアのＣＱＩを取得し、すべてのキャリアのうちの１つ以上のキャリアでのＨＳ−ＰＤＳＣＨのＳＩＮＲとすべてのキャリアでのＨＳ−ＰＤＳＣＨの最大ＳＩＮＲとの差が第１の閾値より大きいことが確定される場合、前記１つ以上のキャリアでのＨＳ−ＰＤＳＣＨのＣＱＩを更新してＣＱＩを増大させ、すべてのキャリアでのＨＳ−ＰＤＳＣＨのＣＱＩをネットワーク側に報告する。ネットワーク側は、ＵＥにより報告されたＣＱＩに応じて、ＵＥに対しＨＳ−ＰＤＳＣＨデータスケジューリングを行う。このように、取得された各キャリアでのＨＳ−ＰＤＳＣＨのＣＱＩを第１の閾値と比較し、比較結果に基づいてＣＱＩを更新してＣＱＩを増大させることで、ＵＥスケジューリングの相対的優先度を向上させるとともに、複数のユーザーが共存する場合、ネットワーク側により割り当てられたＨＳ−ＰＤＳＣＨデータ電力を向上させることができる。測定された２つ以上のキャリアのＲＳＳＩを第２の閾値と比較し、比較結果に基づいて位置決めウィンドウを更新して位置決めウィンドウを左に１ビットを移動させることで、低電力キャリアでのディジタルベースバンド信号の強度を強化することができ、隣接キャリアの隣接チャネルの干渉を減少させ、ＡＧＣループアルゴリズムの性能を強化し、複数の再送による下りＨＳＤＰＡのデータ累積を低減させ、ＨＳＤＰＡネットワークのダウンリンクの伝送レートを高め、ユーザーの体験を向上させる。
【図面の簡単な説明】
【００２２】
【図１】ＵＥが２つのキャリアデジタル信号を分離する実施プロセスの概略図である。
【図２】本発明の実施例におけるネットワーク性能の向上方法の基本処理フローチャートである。
【図３】本発明の実施例におけるネットワーク性能の向上方法の詳細な処理フローチャートである。
【図４】本発明の実施例ＵＥの構造構成の概略図である。
【発明を実施するための形態】
【００２３】
本発明の実施例において、ＵＥは、２つ以上のキャリアの受信信号強度インジケータ（ＲＳＳＩ）を測定し、すべてのキャリアのうちの１つ以上のキャリアのＲＳＳＩとすべてのキャリアのうちの最大ＲＳＳＩとの差が第２の閾値より大きいことが確定される場合、位置決めウィンドウを更新し、位置決めウィンドウに応じてキャリアをフィルタリングし、測定された各キャリアでのＨＳ−ＰＤＳＣＨのＳＩＮＲに応じて各キャリアのＣＱＩをそれぞれ取得し、すべてのキャリアのうちの１つ以上のキャリアでのＨＳ−ＰＤＳＣＨのＳＩＮＲとすべてのキャリアでのＨＳ−ＰＤＳＣＨの最大ＳＩＮＲとの差が第１の閾値より大きいことが確定される場合、前記１つ以上のキャリアでのＨＳ−ＰＤＳＣＨのＣＱＩを更新してＣＱＩを増大させ、すべてのキャリアでのＨＳ−ＰＤＳＣＨのＣＱＩをネットワーク側に報告する。ネットワーク側は、ＵＥにより報告されたＣＱＩに応じて、ＵＥに対してＨＳ−ＰＤＳＣＨデータスケジューリングを行う。
【００２４】
ここで、ＵＥが接続状態で２つのキャリアの下りＨＳＤＰＡサービスを行う場合、前記第１の閾値が３ｄＢである。ＵＥ接続状態でマルチキャリアの下りＨＳＤＰＡサービスを行う場合、２つのキャリアに加えて、１つのキャリアを増加するごとに前記第１の閾値が０．３ｄＢを増え、前記第２の閾値は、ＵＥにより入力された定点ビット数によって調整される。
【００２５】
本実施例による前記技術案を理解するために、以下、ＵＥが接続状態で帯域内における連続の２つのキャリアのＨＳＤＰＡサービスを行う場合、有限インパルス応答（ＦＩＲ：Ｆｉｎｉｔｅ  Ｉｍｐｕｌｓｅ  Ｒｅｓｐｏｎｓｅ）構成に基づくルートレイズドコサイン（ＲＲＣ：Ｒｏｏｔ  Ｒａｉｓｅｄ  Ｃｏｓｉｎｅ）フィルタリングモジュールを利用して２つのキャリアのデジタル信号を分離する過程を説明する。図１のように、無線周波数ＲＸパスにおいて、帯域幅が１０Ｍである１つの信号を処理する。第１のキャリアと第２のキャリアでの信号は、無線周波数フィルタリングモジュールとアナログベースバンドフィルタリングモジュールを経過してフィルタリングを行い、次に、アナログベースバンド信号ＡＧＣゲイン調整を行うことで、アナログデジタル変換器（ＡＤＣ：ａｎａｌｏｇ−ｄｉｇｉｔａｌ  ｃｏｎｖｅｒｔｅｒ）に進入する直前のアナログベースバンド信号が受信パスの動的範囲内にあるようにする。ＵＥが２つのキャリアデジタル信号を分離する場合、無線周波数部は主要なＡＣＳ処理を行い、デジタル領域におけるＦＩＲ構造に基づくＲＲＣフィルタは少ないＡＣＳ処理を行う。そして、連続のマルチキャリア又は帯域幅内における非連続のマルチキャリアＨＳＤＰＡについて、デジタル領域におけるＦＩＲ構造に基づくＲＲＣフィルタのみで各キャリア間のＡＣＳ処理を行う。この場合、ＡＣＳ能力の低下を引き起こし、最終に、ＨＳＤＰＡネットワークのダウンリンク受信性能を低下させる。
【００２６】
本発明の実施例ＵＥ側において、ネットワーク性能の向上方法の基本処理フローチャートは、図２のように、以下のステップを含む。
【００２７】
ステップ１０１において、ＵＥは、測定された２つ以上のキャリアでのＨＳ−ＰＤＳＣＨのＳＩＮＲに応じて、各キャリアでのＨＳ−ＰＤＳＣＨのＣＱＩをそれぞれ取得する。
【００２８】
具体的には、ＵＥは、各キャリアでの有用信号の合計エネルギーと干渉の合計エネルギーを測定し、有用信号の合計エネルギーと干渉の合計エネルギーとの比を算出して各キャリアでのＨＳ−ＰＤＳＣＨのＳＩＮＲを入手する。
【００２９】
ＵＥは、自身に予め記憶されたＳＩＮＲ-ＣＱＩマッピングテーブルから各ＳＩＮＲに対応するＣＱＩを検索し、各キャリアでのＨＳ−ＰＤＳＣＨのＣＱＩをそれぞれ取得する。
【００３０】
ステップ１０２において、すべてのキャリアのうちの１つ以上のキャリアでのＨＳ−ＰＤＳＣＨのＳＩＮＲとすべてのキャリアでのＨＳ−ＰＤＳＣＨの最大ＳＩＮＲとの差が第１の閾値より大きいことが確定される場合、前記１つ以上のキャリアでのＨＳ−ＰＤＳＣＨのＣＱＩを更新する。
【００３１】
具体的には、各キャリアでのＨＳ−ＰＤＳＣＨのＳＩＮＲとすべてのキャリアでのＨＳ−ＰＤＳＣＨの最大ＳＩＮＲとの差を第１の閾値と比較し、前記差が第１の閾値より大きい場合、前記１つ以上のキャリアでのＨＳ−ＰＤＳＣＨのＣＱＩを更新する。
【００３２】
ここで、更新されたキャリアでのＨＳ−ＰＤＳＣＨのＣＱＩは、元キャリアでのＨＳ−ＰＤＳＣＨのＣＱＩとすべてのキャリアでのＨＳ−ＰＤＳＣＨの最大ＣＱＩとの差の半分に元キャリアでのＨＳ−ＰＤＳＣＨのＣＱＩを加算したものである。第ＸキャリアでのＨＳ−ＰＤＳＣＨのＣＱＩをＣＱＩ（Ｘ）、更新された第ＸのキャリアでのＨＳ−ＰＤＳＣＨのＣＱＩをＣＱＩ'（Ｘ）、すべてのキャリアでのＨＳ−ＰＤＳＣＨの最大ＣＱＩをＣＱＩ（ｍａｘ）に設定する場合、ＣＱＩ'（Ｘ）＝ＣＱＩ（Ｘ）＋［ＣＱＩ（ｍａｘ）-ＣＱＩ（Ｘ）］／２である。
【００３３】
ここで、ＵＥが接続状態で２つのキャリアの下りＨＳＤＰＡサービスを行う場合、前記第１の閾値が３ｄＢである。ＵＥが接続状態でマルチキャリアの下りＨＳＤＰＡサービスを行う場合、２つのキャリアに加えて、１つのキャリアを増加するごとに第１の閾値が０．３ｄＢを増え、即ち、ＵＥが接続状態で３つのキャリアの下りＨＳＤＰＡサービスを行う場合、第１の閾値が３．３ｄＢである。ＵＥが接続状態で４つのキャリアの下りＨＳＤＰＡサービスを行う場合、第１の閾値が３．６ｄＢである。以下同様である。
【００３４】
ステップ１０３において、すべてのキャリアでのＨＳ−ＰＤＳＣＨのＣＱＩをネットワーク側に報告する。
【００３５】
ここで、前記ＣＱＩは、ネットワーク側がＵＥをスケジューリングすることに用いられる。
【００３６】
ステップ１０１を実行する前、前記方法は、
ＵＥは２つ以上のキャリアの受信信号強度インジケータ（ＲＳＳＩ）を測定することと、すべてのキャリアのうちの１つ以上のキャリアのＲＳＳＩとすべてのキャリアのうちの最大ＲＳＳＩとの差が第２の閾値より大きいことが確定される場合、位置決めウィンドウを更新することを更に含み、前記位置決めウィンドウは、ＵＥが受信されたキャリア信号をフィルタリングすることに用いられる。
【００３７】
具体的には、更新された位置決めウィンドウは、元位置決めウィンドウを左に１ビットを移動したものである。
【００３８】
ここで、ＵＥに入力された定点ビット数に基づいて前記第２の閾値を調整する。例えば、ＵＥがキャリア信号をフィルタリングして出力した定点ビット数が１２であり、ＵＥに入力された定点ビット数が８である場合、第２の閾値を３ｄＢに設定する。ＵＥに入力された定点ビット数が１ビットを減少するごとに、第２の閾値が０．３ｄＢを減少し、ＵＥに入力された定点ビット数が１ビットを増加するごとに、第２の閾値が０．３ｄＢを増加する。即ち、ＵＥがキャリア信号をフィルタリングして出力した定点ビット数が１２であり、ＵＥに入力された定点ビット数が７である場合、第２の閾値が２．７ｄＢである。ＵＥがキャリア信号をフィルタリングして出力した定点ビット数が１２であり、ＵＥに入力された定点ビット数が９である場合、第２の閾値が３．３ｄＢである。以下同様である。
【００３９】
ＵＥは２つのキャリアでＨＳＤＰＡ下りサービスを同時に行う場合、本発明の実施例ネットワーク性能の向上方法の詳細な処理フローチャートは、図３のように、以下のステップを含む。
【００４０】
ステップ２０１において、ＵＥは２つのキャリアのＲＳＳＩを測定する。
【００４１】
ここで、測定された第１のキャリアのＲＳＳＩがＲＳＳＩ１であり、測定された第２のキャリアのＲＳＳＩがＲＳＳＩ２であり、且つＲＳＳＩ１がＲＳＳＩ２より大きい。
【００４２】
具体的には、ＵＥは従来技術を使用してキャリアのＲＳＳＩを測定しても良く、ここでは詳述しない。
【００４３】
ステップ２０２において、ＵＥは、ＲＳＳＩ１とＲＳＳＩ２との差が第２の閾値より大きい場合、位置決めウィンドウを更新する。
【００４４】
ここで、前記位置決めウィンドウは、ＵＥが受信されたキャリア信号をフィルタリングすることに用いられる。
【００４５】
ここで、位置決めウィンドウを更新することは、位置決めウィンドウを左に１ビットを移動することである。
【００４６】
ＵＥに入力された定点ビット数に応じて前記第２の閾値を調整する。例えば、ＵＥがキャリア信号をフィルタリングして出力した定点ビット数が１２であり、ＵＥに入力された定点ビット数が８である場合、第２の閾値を３ｄＢに設定する。ＵＥに入力された定点ビット数が１ビットを減少するごとに、第２の閾値が０．３ｄＢを減少する。ＵＥに入力された定点ビット数が１ビットを増加するごとに、第２の閾値が０．３ｄＢを増加する。即ち、ＵＥがキャリア信号をフィルタリングして出力した定点ビット数が１２であり、ＵＥに入力された定点ビット数が７である場合、第２の閾値が２．７ｄＢである。ＵＥがキャリア信号をフィルタリングして出力した定点ビット数が１２であり、ＵＥに入力された定点ビット数が９である場合、第２の閾値が３．３ｄＢである。以下同様である。
【００４７】
ステップ２０３において、ＵＥは、測定された２つのキャリアでのＨＳ−ＰＤＳＣＨのＳＩＮＲに応じて、各キャリアでのＨＳ−ＰＤＳＣＨのＣＱＩをそれぞれ取得する。
【００４８】
具体的には、ＵＥは、各キャリアでの有用信号の合計エネルギーと干渉の合計エネルギーを測定し、有用信号の合計エネルギーと干渉の合計エネルギーとの比を算出して、第１のキャリアでのＨＳ−ＰＤＳＣＨのＳＩＮＲがＳＩＮＲ１であり、第２のキャリアでのＨＳ−ＰＤＳＣＨのＳＩＮＲがＳＩＮＲ２であり、且つＳＩＮＲ１がＳＩＮＲ２より大きい。
【００４９】
ＵＥは、自身に予め記憶されたＳＩＮＲ-ＣＱＩマッピングテーブルからＳＩＮＲ１に対応するＣＱＩ１、ＳＩＮＲ２に対応するＣＱＩ２を検索する。
【００５０】
ステップ２０４について、ＵＥは、第１のキャリアでのＨＳ−ＰＤＳＣＨのＳＩＮＲ１と第２のキャリアでのＨＳ−ＰＤＳＣＨのＳＩＮＲ２との差が第１の閾値より大きいことが確定される場合、第２のキャリアでのＨＳ−ＰＤＳＣＨのＣＱＩ２を更新する。
【００５１】
ここで、更新される第２のキャリアでのＨＳ−ＰＤＳＣＨのＣＱＩ２'＝ＣＱＩ２＋（ＣＱＩ１-ＣＱＩ２）／２である。
【００５２】
ここで、ＵＥが接続状態で２つのキャリアの下りＨＳＤＰＡサービスを行う場合、前記第１の閾値が３ｄＢである。ＵＥが接続状態でマルチキャリアの下りＨＳＤＰＡサービスを行う場合、２つのキャリアに加えて、１つのキャリアを増加するごとに、第１の閾値が０．３ｄＢを増加する。即ち、ＵＥが接続状態で３つのキャリアの下りＨＳＤＰＡサービスを行う場合、第１の閾値が３．３ｄＢである。ＵＥが接続状態で４つのキャリアの下りＨＳＤＰＡサービスを行う場合、第１の閾値が３．６ｄＢである。以下同様である。
【００５３】
ステップ２０５において、ＣＱＩ１とＣＱＩ２'をネットワーク側に報告する。
【００５４】
ここで、前記ＣＱＩ１とＣＱＩ２'は、それぞれネットワーク側が第１のキャリアと第２のキャリアでＵＥをスケジューリングすることに用いられる。
【００５５】
上記のネットワーク性能の向上方法を実現するために、本発明の実施例はまたＵＥを提供する。前記ＵＥの構成は、図４のように、測定モジュール１１、取得モジュール１２、第１の比較モジュール１３、第１の更新モジュール１４及び報告モジュール１５を含む。
【００５６】
前記取得モジュール１２は、測定モジュール１１により測定された２つ以上のキャリアでのＨＳ−ＰＤＳＣＨのＳＩＮＲに応じて、各キャリアのＣＱＩをそれぞれ取得するように構成される。
【００５７】
前記第１の比較モジュール１３は、各キャリアでのＨＳ−ＰＤＳＣＨのＳＩＮＲとすべてのキャリアでのＨＳ−ＰＤＳＣＨの最大ＳＩＮＲとの差を第１の閾値と比較するように構成される。
【００５８】
ここで、ＵＥが接続状態で２つのキャリアの下りＨＳＤＰＡサービスを行う場合、前記第１の閾値が３ｄＢである。ＵＥが接続状態でマルチキャリアの下りＨＳＤＰＡサービスを行う場合、２つのキャリアに加えて、１つのキャリアを増加するごとに第１の閾値が０．３ｄＢを増え、即ち、ＵＥが接続状態で３つのキャリアの下りＨＳＤＰＡサービスを行う場合、第１の閾値が３．３ｄＢである。ＵＥが接続状態で４つのキャリアの下りＨＳＤＰＡサービスを行う場合、第１の閾値が３．６ｄＢである。以下同様である。
【００５９】
前記第１の更新モジュール１４は、前記第１の比較モジュールですべてのキャリアのうちの１つ以上のキャリアでのＨＳ−ＰＤＳＣＨのＳＩＮＲとすべてのキャリアでのＨＳ−ＰＤＳＣＨの最大ＳＩＮＲとの差が第１の閾値より大きいことが確定される場合、前記１つ以上のキャリアでのＨＳ−ＰＤＳＣＨのＣＱＩを更新するように構成される。
【００６０】
ここで、更新されたキャリアでのＨＳ−ＰＤＳＣＨのＣＱＩは、元キャリアでのＨＳ−ＰＤＳＣＨのＣＱＩとすべてのキャリアでのＨＳ−ＰＤＳＣＨの最大ＣＱＩとの差の半分に元キャリアでのＨＳ−ＰＤＳＣＨのＣＱＩを加算したものである。第ＸのキャリアでのＨＳ−ＰＤＳＣＨのＣＱＩをＣＱＩ（Ｘ）、更新された第ＸキャリアでのＨＳ−ＰＤＳＣＨのＣＱＩをＣＱＩ'（Ｘ）、すべてのキャリアでのＨＳ−ＰＤＳＣＨの最大ＣＱＩをＣＱＩ（ｍａｘ）に設定する場合、ＣＱＩ'（Ｘ）＝ＣＱＩ（Ｘ）＋［ＣＱＩ（ｍａｘ）-ＣＱＩ（Ｘ）］／２である。
【００６１】
前記報告モジュール１５は、すべてのキャリアでのＨＳ−ＰＤＳＣＨのＣＱＩをネットワーク側に報告し、前記ＣＱＩは、ネットワーク側がＵＥをスケジューリングすることに用いられるように構成される。
【００６２】
さらに、前記ＵＥは、第２の比較モジュール１６と第２の更新モジュール１７をさらに含む。
【００６３】
前記測定モジュール１１は、さらに、２つ以上のキャリアのＲＳＳＩを測定するように構成される。
【００６４】
前記第２の比較モジュール１６は、各キャリアのＲＳＳＩとすべてのキャリアのうちの最大ＲＳＳＩとの差を第２の閾値と比較するように構成される。
【００６５】
ここで、ＵＥに入力された定点ビット数に基づいて前記第２の閾値を調整する。例えば、ＵＥがキャリア信号をフィルタリングして出力した定点ビット数が１２であり、ＵＥに入力された定点ビット数が８である場合、第２の閾値を３ｄＢに設定する。ＵＥに入力された定点ビット数が１ビットを減少するごとに、第２の閾値が０．３ｄＢを減少し、ＵＥに入力された定点ビット数が１ビットを増加するごとに、第２の閾値が０．３ｄＢを増加する。即ち、ＵＥがキャリア信号をフィルタリングして出力した定点ビット数が１２であり、ＵＥに入力された定点ビット数が７である場合、第２の閾値が２．７ｄＢである。ＵＥがキャリア信号をフィルタリングして出力した定点ビット数が１２であり、ＵＥに入力された定点ビット数が９である場合、第２の閾値が３．３ｄＢである。以下同様である。
【００６６】
前記第２の更新モジュール１７は、前記第２の比較モジュールですべてのキャリアのうちの１つ以上のキャリアのＲＳＳＩとすべてのキャリアのうちの最大ＲＳＳＩとの差が第２の閾値より大きいことが確定される場合、位置決めウィンドウを更新し、前記位置決めウィンドウは、ＵＥが受信されたキャリアをフィルタリングするように構成される。
【００６７】
前記ＵＥは、ＳＩＮＲ-ＣＱＩマッピングテーブルを記憶するように構成される記憶モジュール１８をさらに含む。
【００６８】
前記取得モジュール１２は、記憶モジュール１８に予め記憶されたＳＩＮＲ-ＣＱＩマッピングテーブルから各ＳＩＮＲに対応するＣＱＩを検索し、各キャリアでのＨＳ−ＰＤＳＣＨのＣＱＩをそれぞれ取得するように構成される。
【００６９】
さらに、前記第２の更新モジュールは、前記位置決めウィンドウを左に１ビットを移動するように構成される。
【００７０】
本発明の実施例により提供されるＵＥにおける記憶モジュール１８は、記憶装置例えばハードディスクにより実現されても良い。測定モジュール１１、取得モジュール１２、第１の比較モジュール１３、第１の更新モジュール１４、報告モジュール１５、第２の比較モジュール１６及び第２の更新モジュール１７は、プロセッサにより実現されても良いし、具体的な論理回路により実現されても良い。ここで、前記プロセッサは、チップ集積装置のプロセッサであっても良く、実際の応用において、プロセッサは中央処理装置（ＣＰＵ）、マイクロプロセッサ（ＭＰＵ）、デジタル信号プロセッサ（ＤＳＰ）又はフィールドプログラマブルゲートアレイ（ＦＰＧＡ）であっても良い。
【００７１】
本発明の実施例において、ソフトウェアの機能モジュールという形態により上記チップ集積方法を実現され、独立の製品として発売および使用する場合、１つのコンピュータ読み取り可能な記録媒体に記録されることができる。このような理解に基づいて、本発明の実施例の技術案は、本質的には、つまり従来技術に貢献する部分は、ソフトウェア製品の形態で体現されることができ、当該コンピュータソフトウェア製品は、１つの記録媒体に記憶され、１つのコンピュータデバイス（パソコンコンピュータ、サーバー又はネットワーク設備などである）が本発明の各実施例の前記方法の全部又は一部を実行するためのいくつかの命令を含む。前記記録媒体は、フラッシュメモリー、リムーバブルハードディスク、読み出し専用メモリー（Ｒｅａｄ  Ｏｎｌｙ  Ｍｅｍｏｒｙ、ＲＯＭ）、磁気ディスク又は光ディスク等のプログラムコードを記憶可能な各種の媒体を含む。このように、本発明の実施例は、特定のハードウェアとソフトウェアのいかなる組合せに限定しない。
【００７２】
対応的には、本発明の実施例はまた、コンピュータ記憶媒体を提供し、当該コンピュータ記憶媒体にはコンピュータプログラムが記憶され、当該コンピュータプログラムは、本発明の実施例の上記ネットワーク性能の向上方法を実行するためである。
【００７３】
なお、本発明の実施例に係る前記ネットワーク性能の向上方法、装置及び記憶媒体は、高速ダウンリンクパケットアクセスに適用される。
【００７４】
以上の説明は、本発明の好適な実施形態に過ぎず、本発明を限定するものではない。
【図１】
0006422564.tif 000002
【図２】
0006422564.tif 000003
【図３】
0006422564.tif 000004
【図４】
0006422564.tif 000005